(57)【要約】【課題】従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機を提供する。【解決手段】遊技機（１）において、施錠装置制御回路（２０）は、ＩＣカードから出力された認証信号を受信し、この認証信号が有効であるか否かを判別する。そして、有効であると判別されたことを条件に、前面ドアを開錠するための開錠信号をソレノイドドライバ（２５）に送信し、ソレノイド（２６）の駆動を可能にする。【選択図】図５
2008264350.tif 000002
【特許請求の範囲】
【請求項１】
箱状のキャビネットと、このキャビネットを開閉する前面ドアと、この前面ドアを施錠又は開錠する施錠装置とを備えた遊技機であって、
ＩＣカードから出力される認証信号を受信する認証信号受信手段と、
前記認証信号受信手段により受信された認証信号が有効であるか否かを判別する判別手段と、
前記判別手段により有効であると判別されたことを条件に、前記前面ドアを開錠するための開錠信号を生成する開錠信号生成手段と、
前記開錠信号生成手段により生成された開錠信号を前記施錠装置に送信する開錠信号送信手段とをさらに備え、
前記施錠装置は、前記開錠信号を受信することに応じて前記前面ドアを開錠することを特徴とする遊技機。
【請求項２】
請求項１記載の遊技機において、
前記認証信号は、ＩＣカードの所持者を識別する所持者識別情報を含み、
時刻を計測するタイマと、
前記認証信号受信手段により認証信号が受信されたことに応じて、前記所持者識別情報及び前記認証信号が受信された時刻の情報が格納される格納手段とを備えることを特徴とする遊技機。
【請求項３】
箱状のキャビネットと、このキャビネットを開閉する前面ドアと、この前面ドアを施錠又は開錠する施錠装置とを備えた複数台の遊技機の施錠状態を管理する施錠管理システムであって、
前記遊技機は、
ＩＣカードから出力された第１認証信号を受信する第１認証信号受信手段と、
前記第１認証信号受信手段により第１認証信号が受信されたことに応じて、この第１認証信号を受信した遊技機を識別するための遊技機識別情報を含む第２認証信号を生成する第２認証信号生成手段と、
前記第２認証信号生成手段により生成された第２認証信号を送信する第２認証信号送信手段とを有し、
前記第２認証信号送信手段により送信された第２認証信号を受信する第２認証信号受信手段と、
前記第２認証信号受信手段により受信された第２認証信号が有効であるか否かを判別する判別手段と、
前記判別手段により有効であると判別されたことを条件に、前記前面ドアを開錠するための開錠信号を生成する開錠信号生成手段と、
前記開錠信号生成手段により生成された開錠信号を、前記第２認証信号を送信した遊技機の施錠装置に送信する開錠信号送信手段とをさらに備え、
前記第２認証信号を送信した遊技機は、前記開錠信号を受信することに応じて前記前面ドアを開錠することを特徴とする施錠管理システム。
【請求項４】
請求項３記載の遊技機において、
前記第１認証信号は、ＩＣカードの所持者を識別する所持者識別情報を含み、
前記第２認証信号は、前記所持者識別情報及び前記遊技機識別情報の両方を含み、
時刻を計測するタイマと、
前記第２認証信号受信手段により第２認証信号が受信されたことに応じて、前記所持者識別情報と前記遊技機識別情報と前記第２認証信号が受信された時刻の情報とが格納される格納手段とを備えることを特徴とする施錠管理システム。
【発明の詳細な説明】
【技術分野】
【０００１】
本発明は、遊技機及び複数台の遊技機の施錠状態を管理する施錠管理システムに関する。
【背景技術】
【０００２】
遊技場ホールには、箱状のキャビネットと、このキャビネットを開閉する前面ドアと、この前面ドアを施錠又は開錠する施錠装置とを備えたパチンコ遊技機やパチスロ遊技機などが多数設置されている。従来の遊技機では、物理的な鍵を回動させることにより前面ドアを開錠する施錠装置を用いることが多いが、このような施錠装置では、所謂裏ＲＯＭなどの不正な機器を取り付けるためにピッキングなどの不正行為が行われる場合がある。そのため、物理的な鍵とは別の手段で施錠することにより不正行為を防止できる遊技機の提供が求められている。
【０００３】
このような遊技機では、複数台の遊技機につき１台設けられた島鍵コントローラを用いて従業員暗証番号の入力と、指紋の認証と、開錠したい遊技機の番号の入力とを行うことで前面ドアの開錠を可能にした遊技機が提案されている（例えば、特許文献１参照）。この遊技機によれば、物理的な鍵を用いて施錠する場合に比べ、不正行為による前面ドアの開錠が困難なので、前面ドアの開閉に対する安全性を高めることができる。
【特許文献１】特開２００２−１３６７４３号公報
【発明の開示】
【発明が解決しようとする課題】
【０００４】
しかしながら、従業員暗証番号の入力を行う場合、安全性を確保するためには、退職する従業員が出るごとに従業員暗証番号を変更する必要がある。そのため、頻繁な変更により従業員暗証番号を間違ってしまい、前面ドアの開錠に時間がかかる結果、営業時間中に何らかの理由により前面ドアの開放を求めた遊技者からみれば、前面ドアの開錠が遅くいらいらする可能性がある。また、営業時間外で多数の前面ドアを開錠する必要がある場合、１台当たりの開放時間が長くなることで作業効率を低下させる可能性がある。また、指紋の認証を行う場合、入社する従業員が出るごとに指紋を登録し、退職する従業員が出るごとに登録した指紋を抹消する必要がある。したがって、従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機の提供が求められている。
【０００５】
本発明の目的は、従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機を提供することである。
【課題を解決するための手段】
【０００６】
本発明は、以上のような問題点に鑑みてなされたものであり、遊技機において、ＩＣカードから出力される認証信号を受信する認証信号受信手段と、この認証信号が有効であるか否かを判別する判別手段と、この判別手段により有効であると判別されたことを条件に、前面ドアを開錠するための開錠信号を施錠装置に送信する開錠信号送信手段とを備えたことを特徴とする。
【０００７】
より具体的には、本発明では、以下のようなものを提供する。
【０００８】
（１）  箱状のキャビネット（例えば、キャビネット１０）と、このキャビネットを開閉する前面ドアと、この前面ドアを施錠又は開錠する施錠装置（例えば、施錠装置３）とを備えた遊技機（例えば、遊技機１）であって、ＩＣカードから出力される認証信号を受信する認証信号受信手段（例えば、認証装置制御回路１５から第１認証信号を受信する施錠装置制御回路２０）と、前記認証信号受信手段により受信された認証信号が有効であるか否かを判別する判別手段（例えば、後述の図１７のステップＳ６２の処理を行う施錠装置制御回路２０）と、前記判別手段により有効であると判別されたことを条件に、前記前面ドアを開錠するための開錠信号を生成する開錠信号生成手段（例えば、開錠信号を生成する施錠装置制御回路２０）と、前記開錠信号生成手段により生成された開錠信号を前記施錠装置に送信する開錠信号送信手段（例えば、ソレノイドドライバ２５に開錠信号を送信する施錠装置制御回路２０）とをさらに備え、前記施錠装置は、前記開錠信号を受信することに応じて前記前面ドアを開錠することを特徴とする遊技機。
【０００９】
（１）記載の遊技機によれば、退職する従業員が出た場合であっても、退職者にＩＣカードを返還させるだけで安全性を確保できる。また、退職者がＩＣカードを返還しない場合やＩＣカードを紛失した従業員が出た場合であっても、ＩＣカードから出力される認証信号を無効にするだけで安全性を確保できる。また、従業員は、認証信号受信手段にＩＣカードから出力される認証信号を受信させるだけで前面ドアの開錠が可能なので、前面ドアの開錠にかかる時間を短縮できるとともに、暗証番号を記憶する負担、予め指紋を認証する負担などを軽減できる。したがって、従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機を提供することができる。
【００１０】
（２）  （１）記載の遊技機において、前記認証信号は、ＩＣカードの所持者を識別する所持者識別情報を含み、時刻を計測するタイマ（例えば、タイマ２３）と、前記認証信号受信手段により認証信号が受信されたことに応じて、前記所持者識別情報及び前記認証信号が受信された時刻の情報が格納される格納手段（例えば、変形例に係る施錠装置情報格納領域）とを備えることを特徴とする遊技機。
【００１１】
（２）記載の遊技機によれば、従業員が不正行為を行った場合でも、営業時間外に遊技機の内部を点検し、前回の点検時から今回の点検時までに開錠した従業員と時刻を調査することで不正行為を行った従業員を把握できる場合があり、遊技機の安全性をより一層高めることができる。
【００１２】
（３）  箱状のキャビネット（例えば、キャビネット１０）と、このキャビネットを開閉する前面ドアと、この前面ドアを施錠又は開錠する施錠装置（例えば、施錠装置３）とを備えた複数台の遊技機（例えば、遊技機１）の施錠状態を管理する施錠管理システム（例えば、施錠管理システム２）であって、前記遊技機は、ＩＣカードから出力された第１認証信号を受信する第１認証信号受信手段（例えば、認証装置制御回路１５から第１認証信号を受信する施錠装置制御回路２０）と、前記第１認証信号受信手段により第１認証信号が受信されたことに応じて、この第１認証信号を受信した遊技機を識別するための遊技機識別情報を含む第２認証信号を生成する第２認証信号生成手段（例えば、所持者識別情報に加え、第１認証信号を送信した遊技機１を特定するための遊技機識別情報を含めた第２認証信号を生成する施錠装置制御回路２０）と、前記第２認証信号生成手段により生成された第２認証信号を送信する第２認証信号送信手段（例えば、生成した第２認証信号を送信する施錠装置制御回路２０）とを有し、前記第２認証信号送信手段により送信された第２認証信号を受信する第２認証信号受信手段（例えば、施錠装置制御回路２０から第２認証信号を受信する島管理コンピュータ制御回路３０）と、前記第２認証信号受信手段により受信された第２認証信号が有効であるか否かを判別する判別手段（例えば、後述の図１４のステップＳ５２の処理を行う島管理コンピュータ制御回路３０）と、前記判別手段により有効であると判別されたことを条件に、前記前面ドアを開錠するための開錠信号を生成する開錠信号生成手段（例えば、開錠信号を生成する島管理コンピュータ制御回路３０）と、前記開錠信号生成手段により生成された開錠信号を、前記第２認証信号を送信した遊技機の施錠装置に送信する開錠信号送信手段（例えば、施錠装置制御回路２０に開錠信号を送信する島管理コンピュータ制御回路３０）とをさらに備え、前記第２認証信号を送信した遊技機は、前記開錠信号を受信することに応じて前記前面ドアを開錠する（例えば、ソレノイドドライバ２５に開錠信号を送信し、ソレノイド２６を駆動させる）ことを特徴とする施錠管理システム。
【００１３】
（３）記載の施錠管理システムによれば、退職する従業員が出た場合であっても、退職者にＩＣカードを返還させるだけで安全性を確保できる。また、退職者がＩＣカードを返還しない場合やＩＣカードを紛失した従業員が出た場合であっても、ＩＣカードから出力される認証信号を無効にするだけで安全性を確保できる。また、従業員は、認証信号受信手段にＩＣカードから出力される認証信号を受信させるだけで前面ドアの開錠が可能なので、前面ドアの開錠にかかる時間を短縮できるとともに、暗証番号を記憶する負担、予め指紋を認証する負担などを軽減できる。したがって、従業員の入社時や退職時にかかる作業負担や従業員が暗証番号を記憶する負担などを軽減させながらも従業員暗証番号の入力と、指紋の認証と、開錠したい遊技機の番号の入力とを行う施錠管理システムと同等の安全性を確保し、かつ短時間で前面ドアを開錠することの可能な施錠管理システムを提供することができる。
【００１４】
（４）  （３）記載の遊技機において、前記第１認証信号は、ＩＣカードの所持者を識別する所持者識別情報を含み、前記第２認証信号は、前記所持者識別情報及び前記遊技機識別情報の両方を含み、時刻を計測するタイマ（例えば、タイマ３５）と、前記第２認証信号受信手段により第２認証信号が受信されたことに応じて、前記所持者識別情報と前記遊技機識別情報と前記第２認証信号が受信された時刻の情報とが格納される格納手段（例えば、施錠装置情報格納領域）とを備えることを特徴とする施錠管理システム。
【００１５】
（４）記載の施錠管理システムによれば、従業員が不正行為を行った場合でも、営業時間外に遊技機の内部を点検し、不正のあった遊技機の前面ドアを前回の点検時から今回の点検時までに開錠した従業員と時刻を調査することで不正行為を行った従業員を把握できる場合があり、施錠管理システムの安全性をより一層高めることができる。
【発明の効果】
【００１６】
本発明によれば、従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機を提供することができる。
【発明を実施するための最良の形態】
【００１７】
以下、本発明の一実施形態に係る遊技機１及び複数台の遊技機１の施錠状態を管理する施錠管理システム２の一実施形態を図面に基づいて説明する。この実施形態で用いられる遊技機１の種類は問わないが、説明の簡単化を考慮し、以下では所謂「パチスロ機」であるものとして説明する。
【００１８】
図１は、施錠管理システム２の全体構成を示すブロック図である。施錠管理システム２は、複数台の遊技機１−１１〜１−１Ｎ、１−２１〜１−２Ｎの各々に設けられた施錠装置３−１１〜３−１Ｎ、３−２１〜３−２Ｎと、これら施錠装置３−１１〜３−１Ｎ、３−２１〜３−２Ｎの各々と通信線を介して接続された島管理コンピュータ４を含んで構成されている。
【００１９】
遊技機１は、箱状のキャビネット１０（図３参照）と、このキャビネット１０を開閉する前面ドア（図示せず）とを含んで構成され、施錠装置３は、この前面ドアを施錠又は開錠するために設けられている。
【００２０】
島管理コンピュータ４は、施錠装置３−１１〜３−１Ｎ、３−２１〜３−２Ｎの状態を管理するためのコンピュータであり、施錠装置３−１１〜３−１Ｎ、３−２１〜３−２Ｎだけでなく、出力装置としてのプリンタ５及びホールコンピュータなどの上位コンピュータ６とも通信線を介して接続されている。
【００２１】
図２は、島管理コンピュータ４と、複数の施錠装置３−１１〜３−１Ｎ、３−２１〜３−２Ｎとの設置位置例を示す図である。
【００２２】
施錠装置３−１１〜３−１Ｎ、３−２１〜３−２Ｎは、夫々、遊技機１−１１〜１−１Ｎ、１−２１〜１−２Ｎのキャビネット１０に設けられている。本実施形態では、複数の遊技機１−１１〜１−１Ｎ、１−２１〜１−２Ｎにより１つの遊技島が構成され、このような遊技島が複数設けられている。島管理コンピュータ４は、１つの遊技島につき１台設けられ、遊技用のプリペイドカード発行機７も１つの遊技島につき１台設けられている。
【００２３】
図１で示したように、島管理コンピュータ４は、管轄する遊技島の一方の面の複数の遊技機１−１１〜１−１Ｎの施錠装置３−１１〜３−１Ｎとバス状接続されているとともに、遊技島の他方の面の複数の遊技機１−２１〜１−２Ｎの施錠装置３−１１〜３−１Ｎと、上記とは異なるバスによってバス状接続されている。
【００２４】
なお、遊技島の全ての遊技機１−１１〜１−１Ｎ、１−２１〜１−２Ｎの施錠装置３−１１〜３−１Ｎ、３−２１〜３−２Ｎを１バスによって、島管理コンピュータ４に接続するようにしても良い。
【００２５】
図３は、施錠装置３（３−１１〜３−１Ｎ、３−２１〜３−２Ｎ）の概略斜視図である。
【００２６】
施錠装置３は、概ね箱形状をしたユニット本体１１と、シリンダ錠１２とを有する。ユニット本体１１は、キャビネット１０の裏面に設けられ、シリンダ錠１２の先端側がキャビネット１０の貫通孔を挿通するように配置される。
【００２７】
なお、施錠装置３は、遊技機メーカーにおいて、新しい遊技機に装着されるだけでなく、遊技場に既に設置されている遊技機のシリンダ錠部分に代えて、装着し得る形状にしておくことが好ましい。
【００２８】
ユニット本体１１には、シリンダ錠１２の回動の許容（開錠）、禁止（施錠）を制御し得る、後述するような電子ロック機構（ソレノイドなど）が設けられている。電子ロック機構の開錠状態において、シリンダ錠１２に物理的存在である鍵（図示せず）が挿入されて回動されたときには、ユニット本体１１での係合部材と、遊技機１の前面ドア（図示せず）の係合部材との係合が解かれ、前面ドアを開放し得るものである。なお、上述した島管理コンピュータ４は、施錠装置３（の電子ロック機構）の施錠、開錠を制御する。
【００２９】
図４は、遊技機１−１１〜１−１Ｎ、１−２１〜１−２Ｎの各々に設けられた認証装置１３の概略図である。
【００３０】
認証装置１３は、略楕円形平板の形状をしており、一方の面には、接触電極１４が設けられている。そして、接触電極１４の表面には、「ＩＣカードを載せてください」という文字が書かれている。認証装置１３は、遊技する面（遊技機１でのリールの図柄が表示される面）から見て「ＩＣカードを載せてください」という文字が視認できるように配置されている。
【００３１】
図５は、認証装置１３の動作を制御するために認証装置１３の内部に設けられた認証装置制御回路１５と、施錠装置３の動作を制御するために施錠装置３の内部に設けられた施錠装置制御回路２０の電気的構成を示すブロック図である。
【００３２】
認証装置制御回路１５は、ＩＣカードを載せるための接触電極１４と電気的に接続されている。本実施形態では、ＩＣカードには、ＩＣカードの所持者を識別するための所持者識別情報が予め格納され、ＩＣカードが接触電極１４に触れると、この所持者識別情報を含む第１認証信号が認証装置制御回路１５に送信される。認証装置制御回路１５は、この第１認証信号を受信し、受信した第１認証信号を施錠装置制御回路２０に送信するためのマイコンが設けられている。
【００３３】
施錠装置制御回路２０は、電気的構成として、マイコン２１、インタフェース回路２２、タイマ２３、２次電池２４、ソレノイドドライバ２５、ソレノイド２６、開放検出センサ２７及びユニットＩＤ設定スイッチ２８を有する。
【００３４】
マイコン２１は、例えば、ＣＰＵ、ＲＯＭ及びＲＡＭの全体が１チップで構成されているものである。マイコン２１は、施錠装置３の各部を制御するものであり、また、適宜、島管理コンピュータ制御回路３０と通信を行うものである。マイコン２１では、認証装置制御回路１５から送信された第１認証信号を受信したことに応じて、所持者識別情報に加え、遊技機１の種類を識別するための遊技機識別情報を含めた第２認証信号を生成し、この生成した第２認証信号を島管理コンピュータ制御回路３０に送信する。また、マイコン２１では、島管理コンピュータ制御回路３０で生成された開錠信号、施錠信号を受信し、前面ドアの施錠及び開錠を制御する役割も有する。
【００３５】
インタフェース回路２２は、島管理コンピュータ４との通信線（通信バス：ペア線で構成されている）Ｌ１を収容しており、マイコン２１の制御下で、通信インタフェースを行うものである。インタフェース回路２２は、例えば、ＲＳ４８５ドライバ及びＲＳ４８５レシーバで構成されており、例えば、そのシリアル転送は、ＲＳ４８５に準拠している。なお、例えば、転送速度を、ＲＳ４８５に規定のものから多少異なるようにしておき、この点から、通信の安全性を確保するようにしておくことが好ましい。
【００３６】
タイマ２３は、時刻を計時するものである。例えば、時刻情報は、遊技機１の前面ドアの開錠時刻や施錠時刻などのジャーナルをマイコン２１が記憶する際に利用されるものである。タイマ２３の時刻は、例えば、島管理コンピュータ４からの指示に基づいて、設定又は調整できるものであり、これにより、システム全体の時刻合わせが可能となされている。
【００３７】
２次電池２４は、電源線（アース線を含めたペア線で構成されている）Ｌ２を介して電源（例えばＡＣ２４Ｖ）が供給されていないときに、ソレノイド２６を除いた当該施錠装置制御回路２０の各部に電源を供給するものであり、電源線Ｌ２を介して電源が供給されているときには充電動作しながら当該施錠装置制御回路２０の各部に電源を供給するものである。ここで、２次電池２４は、供給交流電源の直流への変換器の機能も併せ持っている。２次電池２４の容量は、遊技場の休日を考慮した非営業時間の最大時間に応じて選定されている。
【００３８】
なお、タイマ２３及び２次電池２４は、１チップ化されたものが存在しており、これを利用するようにしても良い。
【００３９】
ソレノイドドライバ２５は、マイコン２１の制御下で、ソレノイド２６を駆動するものである。
【００４０】
ここで、マイコン２１、インタフェース回路２２、タイマ２３、２次電池２４及びソレノイドドライバ２５を同一基板２９に搭載し、その搭載部分を樹脂で封止する（固める）ことが不正防止の面から好ましい。
【００４１】
ソレノイド２６は、電子ロック機構の構成要素の中心をなすものである。このソレノイド２６の駆動、非駆動によるソレノイド操作子の位置変化によって、シリンダ錠１２の回動を施錠又は開錠するものである。なお、ソレノイド２６の駆動電源は、電源線Ｌ２を介してのみ供給されるようになされている。ソレノイド２６として、非駆動時にシリンダ錠１２を施錠する位置に操作子が位置し、駆動時にシリンダ錠１２を開錠する位置に操作子が位置するものを適用することが、不正防止機能が高く、また、消費電力の面からも好ましい。
【００４２】
開放検出センサ２７は、遊技機の前面ドアが開いていることを検出して、検出信号をマイコン２１に与えるものである。この検出信号は、マイコン２１がジャーナルを記憶する際のトリガなどに利用される。なお、前面ドアをこじ開けようとした際の衝撃を検出する衝撃センサなどの他のセンサを設け、そのセンサの検出信号をもマイコン２１に与えるようにしても良い。
【００４３】
ユニットＩＤ設定スイッチ２８は、例えば、ディップスイッチで構成され、当該施錠装置３の識別番号（ＩＤ）を設定するものである。なお、この設定は、遊技場に設置された後で行っても良いが、遊技機メーカーからの出荷時に行われていることが、後述する運搬時の不正行為の発見の面から好ましい。
【００４４】
ユニットＩＤ設定スイッチ２８によって設定された施錠装置３のＩＤは、固定的なもの（以下、固定ＩＤと呼ぶ）であるが、各施錠装置３には、島管理コンピュータ４によって、ユニークな情報（以下、暗証鍵番号と呼ぶ）も付与される。暗証鍵番号は、施錠装置３における電子ロック機構の施錠、開錠状態を変更させる際の鍵の機能を担っているものである。
【００４５】
なお、図５では省略しているが、施錠装置３に、ブザーなどの異常報知手段、又は、遊技機本体に設けられている異常報知手段を駆動させる手段を設けていても良い。
【００４６】
図６は、島管理コンピュータ４の動作を制御するために島管理コンピュータ４の内部に設けられた島管理コンピュータ制御回路３０の電気的構成を示すブロック図である。
【００４７】
島管理コンピュータ制御回路３０は、マイコン３１、ユニットインタフェース回路３２、上位インタフェース回路３３、プリンタインタフェース回路３４、タイマ３５、２次電池３６、島ＩＤ設定スイッチ３７、キー入力装置３８及び液晶表示装置３９を有する。
【００４８】
マイコン３１は、例えば、ＣＰＵ、ＲＯＭ及びＲＡＭの全体が１チップで構成されているものである。マイコン３１では、施錠装置制御回路２０から送信された第２認証信号を受信したことに応じて、第２認証信号を送信した施錠装置制御回路２０のある前面ドアを施錠するための施錠信号や当該前面ドアを開錠するための開錠信号を生成し、生成した信号を再び第２認証信号を送信した施錠装置制御回路２０に送信する役割を有する。また、マイコン３１は、当該島管理コンピュータ４の各部を制御する役割や、適宜、施錠装置３や上位コンピュータ６と通信を行う役割も有する。
【００４９】
ユニットインタフェース回路３２は、施錠装置３（３−１１〜３−１Ｎ、３−２１〜３−２Ｎ）との通信線Ｌ１−Ａ、Ｌ１−Ｂを収容しており、マイコン３１の制御下で、施錠装置３との通信インタフェースを行うものである。ユニットインタフェース回路３２は、例えば、ＲＳ４８５ドライバ及びＲＳ４８５レシーバで構成されており、例えば、そのシリアル転送は、ＲＳ４８５に準拠している。なお、ユニットインタフェース回路３２は、上述した施錠装置３のインタフェース回路２２に対向しているものである。
【００５０】
なお、一方の通信線Ｌ１−Ａは、遊技島の一方の面の施錠装置３−１１〜３−１Ｎに接続され、他方の通信線Ｌ１−Ｂは、遊技島の他方の面の施錠装置３−２１〜３−２Ｎに接続されている。
【００５１】
上位インタフェース回路３３は、マイコン３１の制御下で、上位コンピュータ６との通信インタフェースを行うものである。なお、上位インタフェース回路３３はコネクタ３２ａを備え、このコネクタ３２ａに上位コンピュータ６との通信線が適宜接続される。上位インタフェース回路３３は、例えば、ＲＳ２３２ドライバ及びＲＳ２３２レシーバで構成されており、例えば、そのシリアル転送は、ＲＳ２３２に準拠している。
【００５２】
プリンタインタフェース回路３４は、マイコン３１の制御下で、プリンタ５への送信インタフェースを行うものである。なお、プリンタインタフェース回路３４はコネクタ３３ａを備え、このコネクタ３３ａにプリンタ５との通信線が適宜接続される。
【００５３】
なお、プリンタ５は、島管理コンピュータ４や施錠装置３に係るジャーナルデータを印刷することが主たる用途であり、それを達成できるものであれば、大きさなどは問われないものである。例えば、当該システム用の専用構成のものであっても良く、汎用的なものであっても良い。
【００５４】
タイマ３５は、時刻を計時するものである。例えば、時刻情報は、マイコン３１が、施錠装置３の電子ロック機構を操作したときの時刻などのジャーナルを記憶する際に利用されるものである。タイマ３５の時刻は、キー入力装置３８を用いた設定、調整操作によって設定、調整することができ、又は、上位コンピュータ６からの指令により、設定、調整することができるものである。なお、マイコン３１は、タイマ３５の時刻が変更された際には、当該島管理コンピュータ４に接続されている全ての施錠装置３−１１〜３−１Ｎ、３−２１〜３−２Ｎでの時刻も更新させるものである。
【００５５】
２次電池３６は、電源線Ｌ２を介して電源が供給されていないときに、キー入力装置３８及び液晶表示装置３９を除いた当該島管理コンピュータ４の各部に電源を供給するものであり、電源線Ｌ２を介して電源が供給されているときには充電動作するとともに、当該島管理コンピュータ４の全ての各部に電源を供給するものである。ここで、２次電池３６は、供給交流電源の直流への変換器の機能も併せ持っている。２次電池３６の容量は、遊技場の休日を考慮した非営業時間の最大時間に応じて選定されている。
【００５６】
なお、タイマ３５及び２次電池３６は、１チップ化されたものが存在しており、これを利用するようにしても良い。
【００５７】
ここで、マイコン３１、ユニットインタフェース回路３２、上位インタフェース回路３３、プリンタインタフェース回路３４、タイマ３５及び２次電池３６を同一基板４０に搭載し、その搭載部分を樹脂で封止する（固める）ことが不正防止の面から好ましい。
【００５８】
島ＩＤ設定スイッチ３７は、例えば、ディップスイッチで構成され、当該島管理コンピュータ４の識別番号（ＩＤ）、言い換えると、遊技島のＩＤを設定するものである。なお、この設定は、遊技場に設置された後で行っても良いが、遊技機メーカーからの出荷時に行われていることが、後述する運搬時の不正行為の発見の面から好ましい。なお、この島ＩＤ設定スイッチ３７を省略し、後述するキー入力装置３８を用いて、当該島管理コンピュータ４の識別番号（ＩＤ）を設定し得るようにしても良い。
【００５９】
キー入力装置３８は、当該島管理コンピュータ４の動作モードを設定したり、制御対象の施錠装置３を特定するための情報を入力したり、操作者確認用の暗証番号を入力したりなどするために設けられているものである。キー入力装置３８は、例えば、図５に示すように、テンキー「０」〜「９」と、「＊」キー及び「＃」キーなどの少ないキー数のものであることが好ましい。
【００６０】
液晶表示装置３９は、マイコン３１の制御下で、当該島管理コンピュータ４の動作モード状態や、各種ガイダンスメッセージや、施錠装置３の電子ロック機構の状態などの情報を表示するものである。
【００６１】
なお、図５及び図６では省略しているが、島管理コンピュータ４に、ブザーなどの異常報知手段、又は、外部の異常報知手段を駆動させる手段（例えばコネクタ）を設けていても良い。
【００６２】
図７及び図８を参照して、マイコン３１のＲＡＭの所定領域に設けられた格納領域について説明する。図７は、ＩＤカードの所持者を識別するための所持者識別情報を格納する所持者識別情報格納領域であり、図８は、夫々の施錠装置３での施錠又は開錠の状態などを示す施錠装置情報を格納する施錠装置情報格納領域である。
【００６３】
まず、図７について説明する。所持者識別情報格納領域には、所持者番号と、この所持者番号に対応する氏名、住所、電話番号などの情報が格納される。遊技場の従業員にＩＤカードを交付する際、その従業員の氏名、住所、電話番号などの情報と、これらの情報を番号で対応させるための所持者番号の情報とをＩＤカードの所定の格納領域に格納する。このとき、ＩＤカードに格納する情報と同じ情報が所持者識別情報格納領域にも格納される。
【００６４】
次に、図８について説明する。施錠装置情報格納領域は、施錠装置３（３−１１〜３−１Ｎ、３−２１〜３−２Ｎ）のＩＤを管理する領域である。この領域には、施錠又は開錠しようとする施錠装置３を識別する通し番号の情報、施錠装置３を施錠又は開錠しようとする時刻の情報及び所持者番号の情報、その施錠装置３の暗証鍵番号の情報及び現在施錠しているか否かを識別するための施錠フラグの情報などが格納される。
【００６５】
まず、通し番号の情報について説明する。本実施形態では、島管理コンピュータ４から延出されている２本の通信線Ｌ１−Ａ、Ｌ１−Ｂを区別した通し番号が付されている。施錠装置情報格納領域には、この通し番号の情報が格納され、本実施形態の場合、通し番号の最大値ｎは、１本の通信線Ｌ１−Ａ、Ｌ１−Ｂに接続可能な施錠装置３の最大数（例えば３２個）となっている。
【００６６】
次に、施錠装置３を施錠又は開錠しようとする時刻の情報について説明する。本実施形態では、島管理コンピュータ制御回路３０にタイマ３５が設けられている。接触電極１４にＩＣカードが接触したことに応じてマイコン３１が所定の信号（第２認証信号）を受信すると、その受信した時刻をタイマ３５が計測し、計測した時刻の情報を施錠装置情報格納領域に格納する。
【００６７】
次に、施錠装置３を施錠又は開錠しようとする所持者番号の情報について説明する。マイコン３１は、接触電極１４にＩＣカードが接触したことに応じて所定の信号（第２認証信号）を受信するが、この信号には、図７で説明した所持者識別情報が含まれる。本実施形態では、この所持者識別情報に基づいて所持者番号の情報を施錠装置情報格納領域に格納する。
【００６８】
次に、施錠装置３の暗証鍵番号の情報について説明する。暗証鍵番号は、まず、工場出荷時に施錠装置制御回路２０のマイコン２１に書き込まれる。その後、施錠装置３が遊技場に設置されると、書き込まれた暗証鍵番号が島管理コンピュータ４のマイコン３１に設けられた施錠装置情報格納領域に格納される。そして、暗証鍵番号がいったん施錠装置情報格納領域に格納されると、マイコン３１の乱数発生機能（乱数発生プログラム）により適宜更新される。
【００６９】
次に施錠フラグの情報について説明する。施錠フラグは、通し番号に対応する施錠装置３が現在施錠しているか否かを識別するために設けられ、施錠している場合にはオンにセットされ、施錠していない場合にはオフにセットされる。施錠装置情報格納領域には、このオンかオフかの情報が格納される。
【００７０】
図９〜図１４に示すフローチャートを参照して、施錠管理システム２の動作について説明する。
【００７１】
まず、図９及び図１０を参照して、本実施形態の施錠管理システム２が遊技場で稼動し得るようになるまでの処理の流れについて説明する。
【００７２】
最初に、初期状態の施錠装置３をキャビネット１０に取り付け（ステップＳ１）、遊技機全体の動作確認を行う（ステップＳ２）。続いて、工場出荷値としての暗証鍵番号を施錠装置制御回路２０に書き込み（ステップＳ３）、ステップＳ４に移る。ステップＳ４では、書き込んだ暗証鍵番号をさらに暗号化したリストを作成し、ステップＳ５に移る。
【００７３】
ステップＳ５では、作成したリストを製造ロットごとに印字し、ステップＳ６に移る。ステップＳ６では、施錠装置３を備えた遊技機１及び島管理コンピュータ４を工場から出荷し、納入先（遊技場）へ搬送し、ステップＳ７に移る。本実施形態では、施錠装置制御回路２０には、２次電池２４を設けているので、遊技機１の搬送中に前面ドアを開放したり、開放しようとした場合、その衝撃によりセンサ検出信号を生成させ、生成させたセンサ検出信号をマイコン２１に記憶させることができる。また、施錠装置３の電子ロック機構は、島管理コンピュータ４からの指令によってのみ開錠状態に変更できるが、搬送時は、施錠装置３と島管理コンピュータ４とが電気的に接続していないので、搬送時に遊技機１の前面ドアが開錠状態になることはない。
【００７４】
ステップＳ７では、納入先にて、施錠装置３を備えた遊技機１、及び、島管理コンピュータ４を設置しステップＳ８に移る。ステップＳ８では、施錠装置３及び島管理コンピュータ４間を通信線Ｌ１−Ａ、Ｌ１−Ｂを介して接続し、ステップＳ９に移る。ステップＳ９では、遊技場での主電源を入れ、ステップＳ１０に移る。
【００７５】
ステップＳ１０では、施錠装置制御回路２０に書き込まれた夫々の暗証鍵番号のデータを島管理コンピュータ制御回路３０が受信し、ステップＳ１１に移る。ステップＳ１１では、島管理コンピュータ制御回路３０に設けられたマイコン３１が、受信したデータの内容をプリンタ５に印字させ、ステップＳ１２に移る。
【００７６】
ステップＳ１２では、出荷前に印字した内容（ステップＳ５で印字した内容）と納入後に印字した内容（ステップＳ１１で印字した内容）とが一致するか否かを判別する。この判別がＹＥＳのときは、ステップＳ１４に移り、ＮＯのときは、ステップＳ１３に移る。具体的には、予め遊技機とともに手渡された暗号化された暗証鍵番号のリスト、収集により印字された内容とを照合して異常のある物や、前面ドアの開放記録のある物は、不正が行われた可能性があるので、設置作業者などが内容を確認する。
【００７７】
ステップＳ１３では、不正が行われた可能性があるため、遊技機１の状況を確認し、ステップＳ１４に移る。ステップＳ１４では、ＩＣカードの所定の格納領域及び島管理コンピュータ制御回路３０のマイコン３１に設けられた所持者識別情報格納領域（図７）に所持者識別情報を格納し、図１０のステップＳ１５に移る。
【００７８】
図１０のステップＳ１５では、全ての施錠装置３に対して夫々新しい暗証鍵番号をマイコン３１が作成し、ステップＳ１６に移る。ステップＳ１６では、新しい暗証鍵番号を島管理コンピュータ制御回路３０のマイコン３１に設けられた施錠装置情報格納領域（図８）に格納し、ステップＳ１７に移る。
【００７９】
ステップＳ１７では、島管理コンピュータ制御回路３０に設けられたタイマ３５の時刻を設定し、ステップＳ１８に移る。ステップＳ１８では、設定した時刻の情報を夫々の施錠装置制御回路２０に送信し、ステップＳ１９に移る。このステップＳ１８により、従業員は、島管理コンピュータ４で時刻の設定を行うだけで、全ての施錠装置３−１１〜３−１Ｎ、３−２１〜３−２Ｎに設けられたタイマ２３の時刻を設定できる。
【００８０】
これ以降は、遊技場側の管理になる（ステップＳ１９）。
【００８１】
以上のようにして搬送時の不正を発見し得るようにしている。なお、搬送時において、施錠装置３と島管理コンピュータ４との間を通信線Ｌ１によって接続しておくと、島管理コンピュータ制御回路３０に設けられたマイコン３１が、搬送時での不正を反そう状態で収集できる。
【００８２】
次に、図１１を参照して、ＩＣカードの制御動作について説明する。
【００８３】
初めに、ＩＣカードが接触電極１４と接触したか否かを判別する（ステップＳ２１）。この処理がＹＥＳのときは、ステップＳ２２に移り、ＮＯのときは、ステップＳ２１を繰り返す。ステップＳ２２では、所持者識別情報を含む第１認証信号を認証装置制御回路１５に送信し、ステップＳ２１に移る。所持者識別情報は、図９のステップＳ１４により予め格納されている。
【００８４】
次に、図１２を参照して、認証装置制御回路１５の制御動作について説明する。
【００８５】
初めに、認証装置制御回路１５に設けられたマイコンは、ＩＣカードから第１認証信号を受信したか否かを判別する（ステップＳ３１）。この判別がＹＥＳのときは、ステップＳ３２に移り、ＮＯのときは、ステップＳ３１の処理を繰り返す。ステップＳ３２では、受信した第１認証信号を施錠装置制御回路２０に送信し、ステップＳ３１に移る。
【００８６】
次に、図１３を参照して、施錠装置制御回路２０の制御動作について説明する。
【００８７】
初めに、施錠装置制御回路２０に設けられたマイコン２１は、認証装置制御回路１５から第１認証信号を受信したか否かを判別する（ステップＳ４１）。この判別がＹＥＳのときは、ステップＳ４２に移り、ＮＯのときは、ステップＳ４３に移る。ステップＳ４２では、所持者識別情報に加え、第１認証信号を送信した遊技機１を特定するための遊技機識別情報を含めた第２認証信号を生成し、この生成した第２認証信号を島管理コンピュータ制御回路３０に送信し、ステップＳ４３に移る。
【００８８】
ステップＳ４３では、島管理コンピュータ制御回路３０から開錠信号を受信したか否かを判別する。この判別がＹＥＳのときは、ステップＳ４４に移り、ＮＯのときは、ステップＳ４５に移る。ステップＳ４４では、受信した開錠信号をソレノイドドライバ２５に送信し、ステップＳ４１に移る。この処理が行われることにより、ソレノイド２６が作動し、前面ドアが開錠する。
【００８９】
ステップＳ４５では、島管理コンピュータ制御回路３０から施錠信号を受信したか否かを判別する。この判別がＹＥＳのときは、ステップＳ４６に移り、ＮＯのときは、ステップＳ４１に移る。ステップＳ４６では、受信した施錠信号をソレノイドドライバ２５に送信し、ステップＳ４１に移る。この処理が行われることにより、ソレノイド２６が作動し、前面ドアが施錠する。
【００９０】
次に、図１４を参照して、島管理コンピュータ制御回路３０の制御動作について説明する。
【００９１】
初めに、島管理コンピュータ制御回路３０に設けられたマイコン３１は、施錠装置制御回路２０から第２認証信号を受信したか否かを判別する（ステップＳ５１）。この判別がＹＥＳのときは、ステップＳ５２に移り、ＮＯのときは、ステップＳ５１を繰り返す。
【００９２】
ステップＳ５２では、受信した第２認証信号が有効であるか否かを判別する。この処理では、第２認証信号に含まれる所持者識別情報が所持者識別情報格納領域（図７）に格納されている所持者識別情報と一致するか否かを判別する。また、受信した第２認証信号が施錠装置情報格納領域（図８）に格納される暗証鍵番号に適合するか否かを判別する。この処理がＹＥＳのときは、ステップＳ５４に移り、ＮＯのときは、ステップＳ５３に移る。
【００９３】
ステップＳ５３では、異常報知処理を行い、ステップＳ５１に移る。この処理では、受信した第２認証信号が有効でないことを映像表示やブザーも出音などにより報知する。従業員は、この報知により不正な施錠装置３に係る遊技機１を点検することができる。
【００９４】
ステップＳ５４では、施錠装置情報格納領域（図８）を参照し、第２認証信号を送信した施錠装置３の施錠フラグがオンであるか否かを判別する。この判別がＹＥＳのときは、ステップＳ５５に移り、ＮＯのときは、ステップＳ５８に移る。ステップＳ５５では、対応する施錠装置３の施錠フラグをオフにセットし、ステップＳ５６に移る。
【００９５】
ステップＳ５６では、タイマ３５から取得される時刻の情報、第２認証信号から取得される所持者識別情報、及び施錠フラグをオフにセットしたという情報を、施錠装置情報格納領域（図８）の対応する領域に格納し、ステップＳ５７に移る。ステップＳ５７では、遊技機１の前面ドアを開錠するための開錠信号を生成し、第２認証信号から取得される遊技機識別情報に基づき、第２認証信号を送信した施錠装置制御回路２０に対して開錠信号を送信し、ステップＳ５１に移る。
【００９６】
ステップＳ５８では、対応する施錠装置３の施錠フラグをオンにセットし、ステップＳ５９に移る。ステップＳ５９では、タイマ３５から取得される時刻の情報、第２認証信号から取得される所持者識別情報、及び施錠フラグをオフにセットしたという情報を、施錠装置情報格納領域（図８）の対応する領域に格納し、ステップＳ６０に移る。ステップＳ６０では、遊技機１の前面ドアを施錠するための施錠信号を生成し、第２認証信号から取得される遊技機識別情報に基づき、第２認証信号を送信した施錠装置制御回路２０に対して施錠信号を送信し、ステップＳ５１に移る。
【００９７】
本実施形態によれば、次の効果が得られる。
【００９８】
退職する従業員が出た場合であっても、退職者にＩＣカードを返還させるだけで安全性を確保できる。また、退職者がＩＣカードを返還しない場合やＩＣカードを紛失した従業員が出た場合であっても、ＩＣカードから出力される第１認証信号を無効にするだけで安全性を確保できる。また、従業員は、ＩＣカードから出力される第１認証信号を認証装置制御回路１５に受信させるだけで遊技機１の前面ドアの開錠が可能である。そのため、前面ドアの開錠にかかる時間を短縮できるとともに、暗証番号入力装置を用いた場合に必要な暗証番号を記憶する負担、指紋認証装置を用いた場合に必要な予め指紋を認証する負担などを軽減できる。したがって、従業員の入社時や退職時にかかる作業負担や従業員が暗証番号を記憶する負担などを軽減させながらも従業員暗証番号の入力と、指紋の認証と、開錠したい遊技機の番号の入力とを行う施錠管理システムと同等の安全性を確保し、かつ短時間で前面ドアを開錠することの可能な施錠管理システム２を提供することができる。
【００９９】
また、島管理コンピュータ制御回路３０にタイマ３５を設け、従業員がＩＣカードを接触電極１４に接触させた時間を施錠装置情報格納領域（図８）に格納させている。そのため、従業員が不正行為を行った場合でも、遊技機１の内部を点検し、不正のあった遊技機の前面ドアを前回の点検時から今回の点検時までに開錠した従業員と時刻を調査することで不正行為を行った従業員を把握できる場合があり、施錠管理システム２の安全性をより一層高めることができる。
【０１００】
以上、本実施形態について説明したが、本発明はこれに限られるものではない。
【０１０１】
本実施形態では、ＩＣカードを用いて施錠装置３の施錠及び開錠を制御している。従来、ＩＣカードとして接触型と非接触型とが知られているが、本実施形態では、ＩＣカードの種類を問うものではなく、いずれのＩＣカードであっても良い。
【０１０２】
また、本実施形態では、所有者識別情報格納領域（図７）及び施錠装置情報格納領域（図８）を島管理コンピュータ制御回路３０に設け、遊技機１の前面ドアの施錠及び開錠を島管理コンピュータ制御回路３０で判別するようにしているが、これに限られるものではない。例えば、施錠装置制御回路２０の構成を図１５に示すような構成にし、この施錠装置制御回路２０に図７の所有者識別情報格納領域及び図１６に示す変形例に係る施錠装置情報格納領域を設けるようにしても良い。このようにすることで、施錠装置制御回路の制御を図１７のように行うことができ、結果として前面ドアの施錠及び開錠を、島管理コンピュータ４を介することなく遊技機１単体で行うことができる。また、遊技機１の前面ドアの施錠及び開錠を施錠装置制御回路２０で判別できるので、従業員の入社時や退職時にかかる作業負担や従業員が暗証番号を記憶する負担などを軽減させながらも従業員暗証番号の入力と、指紋の認証と、開錠したい遊技機の番号の入力とを行う遊技機と同等の安全性を確保し、かつ短時間で前面ドアを開錠することの可能な遊技機１を提供することができる。
【０１０３】
また、遊技機１の前面ドアの施錠及び開錠を島管理コンピュータ制御回路３０で判別するのではなく、上位コンピュータ６で判別できるようにしても良い。
【０１０４】
また、本実施形態では、施錠フラグを用いて施錠装置３が施錠状態にあるか開錠状態にあるかだけを判別できるようにしているが、これに限られるものではない。例えば、「０」、「１」、「２」の施錠識別子を設け、「０」を施錠状態とし、「１」を開錠しているが前面ドアが閉成されている状態とし、「２」を開錠でしかも前面ドアが開放されている状態とし、開錠状態をより細かく判別できるようにしても良い。
【０１０５】
また、異常報知処理では、施錠装置情報格納領域（図８）に格納されたデータをプリンタ５で印刷できるようにしても良いし、上位コンピュータ６に通知できるようにしても良い。なお、異常報知の際、不正の施錠装置３が施錠状態であれば、従業員が遊技機内部を確認できるように開錠状態に変更させる指示を送出するようにしても良い。また、上位コンピュータ６への通知は、上位コンピュータ６の起動による確認モードでのみ行うようにしても良い。
【０１０６】
また、島管理コンピュータ４が制御する施錠装置３の個数などは、上記実施形態のものに限定されない。例えば、１台の島管理コンピュータ４が複数の島の施錠装置３を制御するものであっても良く、また、島を３分割、４分割、…分割した場合の１分割区画を制御するものであっても良い。
【０１０７】
また、島管理コンピュータ４を単に中継装置として機能するようにし、施錠装置３の状態変更や確認は全て、上位コンピュータ６が制御するようにしても良い。
【０１０８】
また、島管理コンピュータ４は、施錠装置３の電子ロック機構の状態を変更できるだけでなく、前面ドアの開放や閉成そのものをも制御できるものであっても良い。例えば、弾性部材に駆動力を与えて実際に開放、閉成させるものであっても良い。
【０１０９】
また、本実施形態では、コントローラの制御対象が遊技機１に設けられている施錠装置３であったが、他の機器に設けた施錠装置３であっても良い。例えば、プリペイドカード発行装置に、上記実施形態のような施錠装置３を設け、その電子ロック機構をコンピュータで制御するようにしても良い。
【０１１０】
また、施錠状態・開錠状態の切替指令は、従業員（操作者）のその状態切替を求める操作時に送出するものを示したが、自動的に、所定条件下で自動的に送出するようにしても良い。例えば、島管理コンピュータ４に主電源オンオフキーを設けた場合には、そのキーのオフ操作がなされたときに、全ての施錠装置３の施錠状態への指令を送出するようにしても良い。
【０１１１】
また、遊技機１の前面ドアを電子制御によってロック制御する構成は、その遊技機の外部に設けられていても良い。例えば、図１８に示す概略側面図に示すように、遊技機１が取り付けられるキャビネット５１自体に施錠装置３を設け、施錠装置３の軸部材５２の突出時に、遊技機１の前面ドアの開放を阻止し、施錠装置３の軸部材５２の退動時に、遊技機１の前面ドアの開放を許容するようなものであっても良い。
【０１１２】
また、本実施形態では、島管理コンピュータ４と施錠装置３間に通信線を設けていたが、これに限られるものではなく、無線で電気的に接続するようにしても良い。
【０１１３】
さらに、本実施形態では、遊技機がパチスロ機の場合を示したが、パチンコ遊技機などの他の遊技機であっても良いことは勿論である。
【図面の簡単な説明】
【０１１４】
【図１】本実施形態の施錠管理システムの全体構成を示すブロック図。
【図２】本実施形態の島管理コンピュータと、複数の施錠装置との設置位置例を示す図。
【図３】本実施形態の施錠装置の概略斜視図。
【図４】本実施形態の認証装置の概略図。
【図５】本実施形態の認証装置及び施錠装置の電気的構成を示すブロック図。
【図６】本実施形態の島管理コンピュータの電気的構成を示すブロック図。
【図７】本実施形態の所持者識別情報格納領域を示す図。
【図８】本実施形態の施錠装置情報格納領域を示す図。
【図９】本実施形態の施錠管理システムが遊技場で稼動し得るようになるまでの流れを示すフローチャート。
【図１０】図９に続くフローチャート。
【図１１】ＩＣカードのフローチャート。
【図１２】認証装置制御回路のフローチャート。
【図１３】施錠装置制御回路のフローチャート。
【図１４】島管理コンピュータ制御回路のフローチャート。
【図１５】認証装置及び施錠装置の変形例に係る電気的構成を示すブロック図。
【図１６】変形例に係る施錠装置情報格納領域を示す図。
【図１７】施錠装置制御回路の変形例に係るフローチャート。
【図１８】変形例に係る施錠装置の設置例を示す図。
【符号の説明】
【０１１５】
１    遊技機
２    施錠管理システム
３    施錠装置
１０    キャビネット
１５    認証装置制御回路
２０    施錠装置制御回路
２５    ソレノイドドライバ
２６    ソレノイド
【図１】
2008264350.tif 000003
【図２】
2008264350.tif 000004
【図３】
2008264350.tif 000005
【図４】
2008264350.tif 000006
【図５】
2008264350.tif 000007
【図６】
2008264350.tif 000008
【図７】
2008264350.tif 000009
【図８】
2008264350.tif 000010
【図９】
2008264350.tif 000011
【図１０】
2008264350.tif 000012
【図１１】
2008264350.tif 000013
【図１２】
2008264350.tif 000014
【図１３】
2008264350.tif 000015
【図１４】
2008264350.tif 000016
【図１５】
2008264350.tif 000017
【図１６】
2008264350.tif 000018
【図１７】
2008264350.tif 000019
【図１８】
2008264350.tif 000020